(57)【要約】      （修正有）【課題】高純度の無機ゲルマニウムから放出されるマイナス自由電子を加熱で活性化することによって難病の治癒率を高める治療器の提供。【解決手段】接触子３における温度センサーおよび圧力センサーの計測値は、本体装置２内の制御機器に送られ、ケース７の前面において、温度計測値を表示盤２８および圧力計測値を表示盤３０で指針表示する。本体装置２内には、変圧器、整流器、トランジスタ、抵抗器、タイマーなどを収納し、制御機器を経てヒーター温度センサーユニット部１４の回路に直流電流を給電する。ダイヤル３２を回すことにより、接触子３の先端部温度を設定でき、ダイヤルは、通常可変抵抗器をトランジスタと接続するように構成する。一方、接触子３による所望加圧力をダイヤル３４によって定め、設定加圧力を下回ると警告ライトや警音器などの報知器を作動させる。【選択図】図１
0003121958.tif 000002
【実用新案登録請求の範囲】
【請求項１】
手または治療器本体で保持する支持具と、該支持具に取り付け且つヒーターによって加熱されるゲルマニウム製の接触子とを有し、該接触子の先端部が半球形または先細り状に成形されており、該接触子を人体の表皮に当接させて所定時間加圧することにより、無機ゲルマニウムから体内へ放出されるマイナス自由電子が加熱によっていっそう活性化され、このマイナス自由電子が迅速に体内へ浸透し、患部の生体内における電位変動の調整を活発化して患部の治癒を促進する治療器。
【請求項２】
接触子の先端部は、短時間の加圧接触で熱傷を発症しない程度の４０〜６０℃に加熱され、接触子に温度センサーおよび圧力センサーを設置することにより、該接触子が所定値以上に加熱または加圧が不十分なときに開閉スイッチまたは報知器を作動させる請求項１記載の治療器。
【請求項３】
複数本の接触子を支持具または支持盤に等間隔に取り付け、該接触子に圧力センサーおよび弾性部材をそれぞれ設置することにより、全接触子が人体の表皮を同一の圧力で加圧する請求項１に記載の治療器。
【請求項４】
接触子において、少なくとも先端部または外周面に高純度のゲルマニウム材を配置する請求項１に記載の治療器。
【請求項５】
手または治療器本体で保持する支持具と、該支持具に取り付け且つヒーターによって加熱されるゲルマニウム製の接触子とを有し、加熱した接触子からマイナス自由電子が活性化状態で放出され、該接触子が当接した人体の表皮から体内へ迅速に浸透し、表皮または体内の癌細胞の膜を覆うプラス電子と接触・中和することで細胞溶解を引き起こすことにより、癌細胞の増殖を抑制する癌治療用の治療器。
【考案の詳細な説明】
【技術分野】
【０００１】
本考案は、無機ゲルマニウムを用いて患部を治癒させる治療器に関し、特に、高純度の無機ゲルマニウムから放出されるマイナス自由電子を加熱で活性化することによって難病の治癒率を高める治療器に関する。
【背景技術】
【０００２】
粉粒状の無機ゲルマニウムは、プラスターの接着層に添加して肌に貼着すると、ゲルマニウムからマイナス自由電子を放出することにより、生体電流を調和して筋肉の緊張をほぐし、血液の鬱血を解いて血行を良くすることが知られている。例えば、特開昭５８−１４６５号の皮膚当接片は、ゲルマニウム粒子と金属粒子とを混合してシート状に成形する。特許第２５７２５２０号の半導体治療剤は、ゲルマニウム半導体薄膜または粉末であるｐ形半導体の薄膜をプラスチックなどの成形体表面に形成する。また、実用新案登録第３１０３０４２号に開示の鎮痛プラスターは、無機ゲルマニウムの微粉末をバインダと混合し、シート基材の上にコートしてゲルマニウム含有層を形成し、該ゲルマニウム含有層の上に適宜の平面形状の接着層を形成する。
【０００３】
この種のプラスターは、肌に貼着するので日毎に貼り替えることを要し、ゲルマニウムの純度が高くないと鎮痛作用が有効になる程度である。比較的純度の高いゲルマニウムを含む製品には、金属様のブレスレット、ネックレスまたはリングなどが存在する。ゲルマニウム製のブレスレットは、磁石製ブレスレットなどに比べて生理的順応性がなく、効果を長期間維持する点で有利であるが、ブレスレットおよびネックレスは使用時に身体の皮膚との接触が少なく、ゲルマニウムによる有益な作用を十分に享受できない。ゲルマニウム製のリングは、身体の皮膚との接触は完全であっても接触場所が限定され、その効果を局部的に享受できるだけである。
【０００４】
一方、高純度の有機ゲルマニウムを含む生理飲料水は、有機ゲルマニウムを体内へ吸収するため、人体の臓器との接触が十分に行われ、ゲルマニウムによる有益な作用を十分に享受できる。この生理飲料水は、体内において、半導体である高純度のゲルマニウムからマイナス自由電子が放出され、癌細胞の表皮に集合したプラス電子と接触・中和することにより、癌の治療にも有効であることが知見されている。この生理飲料水は、癌の治療についてかなり有効であっても、治癒率の点で未だ十分に満足できるわけでなく、悪性リンパ腫などに対する治癒率も不十分である。
【特許文献１】特開昭５８−１４６５号公報
【特許文献２】特許第２５７２５２０号公報
【特許文献３】実用新案登録第３１０３０４２号公報
【特許文献４】特開２００３−１２６２７５号公報
【考案の開示】
【考案が解決しようとする課題】
【０００５】
癌の治療には、外科的手術、放射線療法、陽子線療法、化学療法などがあり、一般に高価な放射線照射装置や陽子線照射装置を用いることで医療費が高騰している。これらの療法は、人体の正常組織を侵襲して被治療者に大きなダメージを与えがちであるため、非侵襲的治療法として、特開２００３−１２６２７５号のように、正常細胞と癌細胞の温度感受性の差を利用する温熱療法が注目されている。この温熱療法は、患部を４１〜４２℃以上に加熱することにより、正常細胞を守りながら癌細胞やウィルスを崩壊させ、さらに放射線療法や化学療法と併用すると治療効果が高まることが確認されている。
【０００６】
この温熱療法は、電波、超音波または高周波を患部に照射したり、患部に電極針を突き刺して加熱する局所的な温熱装置を用いたり、遠赤外線を照射して全身を均一に加熱する全身温熱療法がある。全身温熱療法には、体外循環によって血液を加熱する方法もある。温熱装置は、一般に大型で高価な機器が必要であり、低温熱傷などの副作用が認められている。温熱療法に用いられる遠赤外線照射装置では、放射遠赤外線の波長が３〜２０μｍであり、人体に悪影響を与えると推定される波長も存在する。この温熱療法は、実際には、温熱効果以外の作用が明らかでなく、早期発見と早期治療によって癌の治癒率が向上しているといっても、喉頭癌では治癒率が３割程度、悪性リンパ腫では治癒率が２割程度にすぎない。
【０００７】
本考案は、癌治療に関する前記の問題点を改善するために提案されたものであり、ｐ形半導体である高純度の無機ゲルマニウムによる癌治療またはＨＩＶ（エイズウイルス）などの難治性感染症に有効な治療器を提供することを目的としている。本考案の他の目的は、装置が単純で安価であり、難病の自己治療および外来通院での治療が可能な治療器を提供することである。本考案の別の目的は、加熱マイナス自由電子を放出することにより、難病治療とともに鎮痛、新陳代謝と血行の促進、細胞活性化などの効果を得ることができる治療器を提供することである。本考案のさらに別の目的は、高純度の無機ゲルマニウムから放出する加熱マイナス自由電子による療法と温熱療法との併合作用を有する治療器を提供することである。
【課題を解決するための手段】
【０００８】
本考案に係る治療器は、手または治療器本体で保持する支持具と、該支持具に取り付け且つヒーターによって加熱されるゲルマニウム製の接触子とを有し、該接触子の先端部が半球形または先細り状に成形されている。この治療器では、接触子を人体の皮膚に当接させて所定時間加圧することにより、無機ゲルマニウムから放出されるマイナス自由電子が加熱によっていっそう活性化され、このマイナス自由電子が迅速に皮膚内部に浸透し、患部の生体内における電位変動の調整を活発化して患部の治癒を促進する。
【０００９】
本考案に係る治療器では、接触子の先端部は、短時間の接触で熱傷を発症しない程度の４０〜６０℃に加熱され、接触子に温度センサーおよび圧力センサーを接続することにより、該接触子が所定値以上に加熱または加圧が不十分なときに報知器を作動させると好ましい。また、複数本の接触子を支持具または支持盤に等間隔に取り付け、該接触子に圧力センサーおよび弾性部材をそれぞれ設置することにより、全接触子が人体の表皮を同一の圧力で加圧すると好ましい。この接触子において、少なくとも先端部または外周面に高純度のゲルマニウム材を配置し、好ましくは該ゲルマニウムの純度が９９．９９９％以上である。
【００１０】
本考案の治療器は、手または治療器本体で保持する支持具と、該支持具に取り付け且つヒーターによって加熱されるゲルマニウム製の接触子とを有し、加熱した接触子からマイナス自由電子が活性化状態で放出され、該接触子が当接した表皮から人体内へ浸透し、表皮または体内の癌細胞の膜を覆うプラス電子と接触・中和することで細胞溶解を引き起こす。したがって、本考案の治療器は、癌細胞の増殖を抑制する癌治療器として有効である。また、本考案の治療器は、ＨＩＶなどの難治性感染症にも有効である。
【００１１】
本考案を図面によって説明すると、本考案に係る治療器１は、図１に示すように、接触子３を取り付けた保持具５を有する。保持具５または保持台には、単数または複数本の棒状の接触子３を固定するかまたは伸縮移動可能に取り付ける。この保持具または保持台は、図１のような円筒形などの手持ち可能な形状であっても、図５のような湾曲プレート形状、図６のようなベッド上に載置可能な水平プレート形状などのいずれでもよい。
【００１２】
接触子３は、該接触子内または保持具５内のヒーター１４によって加熱され、一般的な使用で４０〜５０℃に加熱し、難治性癌の治療などの特殊使用において約６０℃まで加熱することがある。接触子３は、被治療者である人体の表皮に当接させて所定時間加圧し、この加圧力を高めるために、接触子３の先端部を半球形（図２）または先細り状（図３、図４）に成形している。接触子３の加熱温度が高い場合には、加圧持続時間を短くして加圧作業を繰り返したり、熱放散シートを介して加圧することが望ましい。
【００１３】
本考案で用いる接触子３を構成する高純度のゲルマニウムは、Ｇｅ−Ｇｅが２.４４Åである灰白色のダイヤモンド構造を有し、融点９３７.４℃、沸点２８３０℃、密度５.３２ｇ／ｃｍ３（２５℃）．モース硬さ６.５である。ゲルマニウムは、真性半導体であり、電子移動度３９００ｃｍ２／Ｖ・ｓ、正孔移動度１９００ｃｍ２／Ｖ・ｓ、磁化率−０．１０６×１０−６ｃｍ３／ｇ、熱伝導率５９.９Ｗ／ｍ・Ｋ，線膨張率０．０７７×１０−４／Ｋであり、空気中では変化せず、半導体素子としての用途のほかに、熱電対や抵抗温度計用などの合金の製造に使用している。
【００１４】
治療器１は、加熱した接触子３からマイナス自由電子を放出することにより、活性状態のマイナス自由電子をより効果的に被治療者に作用させる。接触子３がゲルマニウム製であるから、鎮痛、新陳代謝の促進効果、血行の促進、細胞活性化などの効果を有するうえに、マイナスイオンを発生することによる相乗効果もある。加熱した接触子３は、その先端部１２から活性化されたマイナス自由電子を放出することにより、生体電流を調和して筋肉の緊張を迅速にほぐし、血液の鬱血を解いて血行を良くし、この際に、接触子３を低抵抗点であるツボに当てれば、その治療効果が増大する。
【００１５】
治療器１では、接触子３が４０〜５０℃の温度に設定され、加熱した接触子３の先端部１２からマイナス自由電子が活性化状態で放出されるから、表皮または体内の癌細胞の膜を覆うプラス電子または他の患部のプラス電子と接触して中和し、これを崩壊することが可能である。この際に、被治療者が熱傷を発症しないように、接触子３の先端部１２の接触時間を短くし、接触後には一旦表皮から離す作業を繰り返す。加熱されたマイナス自由電子により、癌細胞やウィルスの細胞溶解を引き起こし、癌細胞の増殖を抑制するとともに、ＨＩＶなどの難治性感染症の治療に有効である。
【００１６】
治療器１は、被治療者の全身を順次加温することができるので、全身に転移する癌や血液内を循環するウィルスに対しても治療効果が期待できる。癌の患部が位置する深部の体温を４１〜４２℃以上に上げるには、遠赤外線の照射では表皮部の温度を６５℃以上に上げることを要するけれども、ゲルマニウムは患部付近の局所を加温する作用があり、しかもマイナス自由電子は迅速に体内へ浸透するため、接触子３を６０℃前後まで加熱すると温熱療法による治療効果も期待できる。治療器１は、深部体温を約４２℃に昇温するのに時間を要することがなく、昇温した深部体温を断続加熱でも長時間保持できる。
【００１７】
治療器１では、温熱療法による治療効果も利用するために接触子３を６０℃前後まで加熱しても、局部加温によって、被治療者の体温を正常細胞の生理的維持範囲である４３℃以下に抑えうる非侵襲的治療であり、且つ癌細胞やウィルスを崩壊できる４１〜４２℃の深部体温に高精度に保持することができる。この際に、治療器１は、被治療者を必要以上の高温下に曝すことがなく、深部体温を必要な治療温度まで短時間に昇温して精度良く長時間保持できる。高温に加熱された接触子３からは、活性化状態で放出されたマイナス自由電子が、癌細胞やウィルスの細胞溶解をいっそう促進する。
【考案の効果】
【００１８】
本考案に係る治療器は、加熱した接触子の先端部から、熱で活性化されたゲルマニウムのマイナス自由電子を放出する。この接触子の先端部を人体に当てると、マイナス自由電子が人体へ迅速に吸収され、生体電流を調和して筋肉の緊張を迅速にほぐし、血液の鬱血を解いて鎮痛、新陳代謝や血行の促進、細胞活性化などの効果を得るとともに、マイナスイオンも発生してストレスなどの面を改善でき、身体の体内環境を通常あるべき方向に戻す。本考案に係る治療器は、腰痛、神経痛、肩こり、膝の痛み、五十肩、捻挫、慢性関節炎、ぎっくり腰、むち打ち症、推間板ヘルニアなどに対する効果は絶大であり、接触子をツボに当てれば治療効果がさらに増大する。
【００１９】
本考案に係る治療器は、接触子の温度を４０〜５０℃に設定することにより、活性状態のゲルマニウムのマイナス自由電子を放出させ、表皮または体内の癌細胞の膜を覆うプラス電子または他の患部のプラス電子と接触して中和し、これを崩壊することが可能である。加熱されたマイナス自由電子は、癌細胞やウィルスの細胞溶解を引き起こし、癌細胞の増殖を抑制するとともに、ＨＩＶなどの難治性感染症の治療に有効である。本考案の治療器において、接触子の加熱温度をより高くすると、癌細胞やウィルスの崩壊について温熱療法を適用することもできる。この場合には、患部との接触温度つまり体表または体内の深部温度を４１〜４２℃以上に設定し、接触子の温度を６０℃前後に設定することにより、癌細胞やウィルスが高温に加熱されるとともに、活性化状態のマイナス自由電子が癌細胞やウィルスの細胞溶解をいっそう促進する。
【００２０】
本考案に係る治療器は、加熱した接触子を単に人体に押し当てるだけでよいから、治療作業がきわめて容易である。本考案の治療器は、操作部位である保持具を片手に持ったり、保持具を被治療者の上下に配置しているだけであり、未熟練者であっても治療行為を容易に行うことができる。したがって、この治療器による治療は、入院しなくても外来通院でよく、被治療者自身で治療することも可能である。本考案の治療器は、大型で高価な装置や附属品が不要であるので安価であり、しかも本体装置が小型で持ち運びできるため、病院や公共施設だけでなく、自宅に持ち帰って治療することもできる。
【考案を実施するための最良の形態】
【００２１】
次に、本考案を実施例に基づいて説明するが、本考案は実施例に限定されるものではない。図１には本考案に係る治療器１を示し、該治療器は小型の自己治療用である。治療器１は、公知の制御機器（図示しない）を収納する装置本体２と、接触子３を取り付けた保持具５とを有し、該装置本体と保持具とをコード６で接続する。装置本体２は、金属またはプラスチックの箱形ケース７に収納され、該ケースには持ち運び用の逆Ｕ字形の持ち手８を取り付ける。
【００２２】
保持具５は、片手で軽く把持できる程度の円筒形であり、該保持具の端面に軸方向外方にステンレス鋼のフランジ細管１０を取り付け、該細管に半田付けした接触子３を一直線状に固着する。接触子３は、純度が９９．９９９％以上である高純度の無機ゲルマニウム製である。接触子３は、先端部１２が閉鎖された筒形状であり、該先端部を半球形に成形している。接触子３は、例えば、直径８ｍｍおよび長さが４５ｍｍであり、細管１０を組み込んだ全長は６５ｍｍである。
【００２３】
接触子３の内部には、ヒーター−温度センサーユニット部１４を収納し、リード線１６，１６を経て装置本体２の制御機器と接続する。この温度センサーは、サーミスタ、白金抵抗測温体、ＩＣ化センサーなどであればよい。図示しないけれども、接触子３が人体の表皮に当接した際の加圧力を測定するために、拡散型半導体や接着型などの圧力センサーを保持具５内に配置している。
【００２４】
好ましくは、接触子３の温度低下を防ぐために、該接触子および細管１０の外周面にポリテトラフルオロエチレンのような断熱性樹脂をコーティングするかまたは断熱性樹脂チューブで被覆する。また、接触子３の直径と長さを変更した複数本の保持具５を常備し、コート先端のプラグ（図示しない）を介して、各保持具を装置本体２に交換可能に接続してもよい。
【００２５】
接触子３は、図１に示すように外周面だけを高純度の無機ゲルマニウムで形成しても、図３に示すように接触子の先端部だけが無機ゲルマニウム製でも、または図４に示すように接触子全体が無機ゲルマニウム製であってもよい。図３に示す接触子１８では、円錐形の無機ゲルマニウム製の先端部材２０を金属製の円柱本体２２に嵌め込み固着する。先端部材２０は、低い円錐台形であり、単に接着剤によって円柱本体２２に固着するだけでもよい。一方、図４に示す接触子２４は、先細り状の先端部２５を有する無機ゲルマニウム製の細い円柱体２６からなる。円柱本体２２や円柱体２６の後方には、アルミ材などのパネルヒーターを取り付ける。
【００２６】
図１に示す本体装置２は、保持具５を加熱するための機器類を備え、該本体装置から電源コード（図示しない）を延設しても、本体装置内に乾電池や充電池を収納してもよい。接触子３における温度センサーおよび圧力センサーの計測値は、本体装置２内の制御機器に送られ、ケース７の前面において、温度計測値を表示盤２８および圧力計測値を表示盤３０で指針表示する。本体装置２内には、変圧器、整流器、トランジスタ、抵抗器、タイマーなどを収納し、制御機器を経てヒーター−温度センサーユニット部１４の回路に直流電流を給電する。
【００２７】
ケース７の前面には、接触子３の温度設定ダイヤル３２および圧力設定ダイヤル３４を取り付ける。ダイヤル３２を回すことにより、接触子３の先端部温度を設定でき、該ダイヤルは、通常可変抵抗器をトランジスタと接続するように構成する。一方、接触子３による所望加圧力をダイヤル３４によって定め、設定加圧力を下回ると警告ライトや警音器などの報知器（図示しない）を作動させる。
【００２８】
接触子３において、温度センサーの計測値が設定温度以上になると、開閉スイッチ（図示しない）が作動し、該開閉スイッチの作動によってヒーターユニット部１４への通電を遮断する。一方、圧力センサーの計測値が設定圧力以下になると、警告ライトや警音器などの報知器が作動する。この報知器の一例として、発光ダイオード（図示しない）を接続しており、該発光ダイオードをケース周壁に取り付け、その発光状態を外部から識別できる。この発光ダイオードは、接触子３が人体の皮膚から離れていたり、該接触子による加圧力が設定圧力以下になると点灯する。
【００２９】
マイナス自由電子を放出する接触子３が、表皮または体内の癌細胞などの患部と近接すると、該癌細胞の膜を覆うプラス電子または他の患部のプラス電子と通電して微弱の電流が流れ、この微弱の電流値をケース７の前面の表示盤３６で指針表示する。この結果、表示盤３６の指針をチェックすることにより、人体における患部の位置をサーチすることが可能であり、接触子３を最適の治療位置に容易に移動できる。
【００３０】
一方、接触子３がマイナスになるように微弱の電流を常に流しておくことも可能であり、この微弱電流を流すと、マイナス自由電子の放出量が増加するうえに、接触子３のサーチ機能をいっそう高めることができる。微弱の電流を流すと、人体のツボは低抵抗点であるから、そのツボの位置へ接触子３を移動させることも容易である。微弱電流の電流値は、ダイヤル３８を回すことで調節可能である。また、ケース表面のスイッチ４０は、治療器１の電源スイッチである。
【００３１】
次に、治療器１の動作を説明すると、該治療器の電源には商用電源を使用する。電源スイッチ４０をオンにしてから、ダイヤル３２を適宜に回し、接触子３を４０〜４５℃の温度に設定する。接触子３が加熱されると、保持具５を片手に持って、図２に示すように接触子３を被治療者の表皮４２にほぼ垂直に当接して軽く加圧する。接触子３の先端温度は被治療者の体温よりも高いため、低温熱傷を発症しないように、接触子３を数分間加圧させれば一旦表皮から離し、少し加圧位置を変えてこの作業を複数回繰り返せばよい。一般に、接触子３を５分間で５〜６回に分けて加圧する。
【００３２】
この加圧作業は、接触子３の半円形先端部１２を被治療者の表皮４２に軽く押し当てるだけであるので、第三者だけでなく、被治療者自身で行うことも可能である。接触子３の先端温度が設定温度よりも高くなると、開閉スイッチが自動的に作動して温度上昇を防止して設定温度を維持する。所定の治療時間に達すると、タイマーが作動してヒーター−温度センサーユニット部１４への通電を遮断する。また、接触子３が人体の皮膚から離れていたり、該接触子による加圧力が設定圧力以下であると、発光ダイオード（図示しない）が点灯されることによって警告する。
【００３３】
加熱した接触子３は、その先端部１２のゲルマニウムから活性化されたマイナス自由電子を放出することにより、生体電流を調和して筋肉の緊張を迅速にほぐし、血液の鬱血を解いて血行が良くし、新陳代謝や血行を促進して細胞を活性化させ、腰痛、神経痛、肩こり、膝の痛み、五十肩、捻挫、慢性関節炎、ぎっくり腰、むち打ち症、推間板ヘルニアなどに対して効果がある。また、接触子３を低抵抗点であるツボに当てれば、この治療効果が増大する。
【００３４】
治療器１では、接触子３が４０〜５０℃の温度に設定され、加熱した接触子３の先端部１２からマイナス自由電子が活性化状態で放出されるから、表皮または体内の癌細胞の膜を覆うプラス電子または他の患部のプラス電子と接触して中和し、これを崩壊することが可能である。この際に、被治療者が熱傷を発症しないように、接触子３の先端部１２の接触時間を短くし、接触後には一旦表皮から離す作業を繰り返す。加熱されたマイナス自由電子により、癌細胞やウィルスの細胞溶解を引き起こし、癌細胞の増殖を抑制するとともに、ＨＩＶなどの難治性感染症の治療に有効である。
【００３５】
治療器１では、接触子３の加熱温度を高くすると、温熱療法によって癌細胞やウィルスを崩壊することも期待できる。この場合には、患部との接触温度つまり体表または体内の深部温度を約４２℃に設定することになり、接触子３の温度を６０℃前後に設定する必要がある。高温に加熱された接触子３からは、活性化状態で放出されたマイナス自由電子が、癌細胞やウィルスの細胞溶解をいっそう効果的に引き起こす。
【００３６】
図５は本考案の変形例を示し、治療器４４では、プレート状の支持盤４６をベッド４８の上方に水平に配置し、該支持盤の下面に多数本の接触子５０をほぼ等間隔に下向きに取り付ける。接触子５０の本数は任意であり、全身転移の癌治療の場合には本数をより多くする。それぞれの接触子５０には、ヒーター−温度センサーユニット部に加えて、圧力センサーおよび弾性部材を支持盤４６内に設置し、これによって各接触子５０は加圧調整が可能である。支持盤４６は、被治療者５２に対して下表面がほぼ等距離になるように、その横断面が下向きに湾曲している。多数本の接触子５０について、それぞれがほぼ平行であっても、周辺の接触子５０が被治療者５２に向かって傾斜するように配置してもよく、各接触子５０の傾斜度を制御可能にしてもよい。
【００３７】
支持盤４６は昇降自在であり、接触子５０がベッド４８上の被治療者５２に接触するまで下降可能である。各接触子５０が被治療者５２の表皮をほぼ同一の圧力で加圧できるように、各接触子５０の加圧力を圧力センサーで検知し、コイルバネなどの弾性部材を昇降させてその弾力を調節する。全接触子５０による加圧の設定時間が経過すれば、支持盤４６が上昇し、加圧位置を少しずつ変えて押圧作業を複数回繰り返す。
【００３８】
治療器４４では、全接触子５０を４０〜６０℃の温度に設定しており、加熱した接触子５０の先端部からマイナス自由電子が活性化状態で放出されるから、被治療者５２の体内の広範囲に亘って体内の癌細胞の膜を覆うプラス電子または他の患部のプラス電子と接触して中和し、これを崩壊することが可能である。治療器４４は、加熱されたマイナス自由電子により、広範囲に亘る癌細胞やウィルスの細胞溶解を引き起こすように治療するから、全身に転移する癌や血液内を循環するウィルスなどに対して有効である。
【００３９】
図６は本考案の別の変形例を示し、治療器５４では、プレート状の支持盤５６をベッド５８の上方に載置し、該支持盤の上面に複数本の接触子６０をほぼ等間隔に上向きに取り付ける。接触子６０の本数は任意であり、通常、前記の接触子５０の直径をよりも太くする。それぞれの接触子６０は、垂直に配置し、ヒーター−温度センサーユニット部に加えて、圧力センサーおよび弾性部材を支持盤５６内に設置し、これによって各接触子６０は加圧調整が可能である。
【００４０】
被治療者６２がベッド５８上に仰臥すると、該被治療者の体重によって各接触子６０が被治療者６２の表皮をほぼ同一の圧力で加圧できるように、各接触子６０の加圧力を圧力センサーで検知し、コイルバネなどの弾性部材の弾力を自動調節する。全接触子６０による加圧の設定時間が経過すれば、支持盤５６をベッド５８上でずらし、加圧位置を少しずつ変えて押圧作業を複数回繰り返せばよい。
【００４１】
治療器５４では、全接触子６０を４０〜６０℃の温度に設定しており、加熱した接触子６０の先端部からマイナス自由電子が活性化状態で放出されるから、被治療者６２の体内の癌細胞の膜を覆うプラス電子または他の患部のプラス電子と接触して中和し、これを崩壊することが可能である。治療器５４は、加熱されたマイナス自由電子により、広範囲に亘る癌細胞やウィルスの細胞溶解を引き起こすように治療するから、ある程度の範囲に亘る患部に対して有効である。
【図面の簡単な説明】
【００４２】
【図１】本考案に係る治療器の概略斜視図である。
【図２】図１の治療器における接触子を示す部分拡大断面図である。
【図３】接触子の変形例を示す概略側面図である。
【図４】接触子の別の変形例を示す概略側面図である。
【図５】本考案の治療器の変形例を示す概略側面図である。
【図６】本考案の治療器の別の変形例を示す概略側面図である。
【符号の説明】
【００４３】
１    治療器
２    装置本体
３    接触子
５    保持具
１０    フランジ細管
１２    接触子の先端部
１４    ヒーター−温度センサーユニット部
【図１】
0003121958.tif 000003
【図２】
0003121958.tif 000004
【図３】
0003121958.tif 000005
【図４】
0003121958.tif 000006
【図５】
0003121958.tif 000007
【図６】
0003121958.tif 000008